(57)【特許請求の範囲】
【請求項１】
半導体基板に酸素イオンを照射して、前記半導体基板の所定の深さ領域に前記半導体基板の他の深さ領域より酸素濃度の高い酸素富裕層を形成する過程と、
前記半導体基板に放射線を照射して、前記半導体基板の結晶格子間に原子空孔を形成し、前記結晶格子間に導入される前記酸素富裕層の酸素と前記放射線により形成される前記原子空孔とが結合して、キャリア捕獲領域として機能する再結合領域を形成する複合欠陥を前記酸素富裕層に形成する過程と、
前記再結合領域を形成した前記半導体基板を温度２００℃〜４００℃で加熱する過程とを含むことを特徴とする半導体装置の製法。
【請求項２】
前記酸素富裕層は、前記他の深さ領域と比較して１.２倍以上の酸素濃度を有する請求項１に記載の半導体装置の製法。
【請求項３】
前記再結合領域を形成する過程は、０.５MeV〜５.０MeVの加速電圧で前記半導体基板に電子線を注入して、前記半導体基板に前記原子空孔を形成し、前記酸素富裕層の酸素と前記原子空孔とが結合して成る前記複合欠陥を形成する過程を含む請求項１又は２に記載の半導体装置の製法。
【発明の詳細な説明】
【技術分野】
【０００１】
本発明は、半導体装置の製法、特に、電子線等の放射線を半導体基板に照射して、半導体装置のライフタイムを制御する半導体装置の製法に関する。
【背景技術】
【０００２】
電子線、γ線、中性子線又はイオン線等の放射線を半導体基板に照射し、半導体基板の所定の領域に放射線により結晶欠陥（「再結合中心」又は「ライフタイム制御領域」と呼ぶこともできる）を形成して、半導体基板のキャリアのライフタイム（寿命）を制御するライフタイム制御技術は、公知である。半導体基板のキャリアのライフタイムを制御して、半導体装置の応答特性を向上することができる。放射線を半導体基板に照射するライフタイム制御技術は、金又は白金等の重金属原子を半導体基板に導入するライフタイム制御と比較して、ライフタイムの制御性及び再現性に優れている。
【０００３】
特に、プロトン等の各種イオンを照射するライフタイム制御技術では、イオン線の飛程を中心として半導体基板の厚み方向の限られた領域にイオン線によって集中的に結晶欠陥が形成されるため、制御性の高いライフタイム制御を行なえる。一方、電子線を照射するライフタイム制御技術では、長い飛程距離を有する電子線が半導体基板の厚み方向全体にわたり透過するため、一般的に、半導体基板の厚み方向の全体に結晶欠陥を形成するライフタイム制御として使用されていた。
【０００４】
図６は、半導体基板(1)と、半導体基板(1)の一方の主面(1a)側に形成されたＮ−型半導体領域(11)と、Ｎ−型半導体領域(11)に隣接して半導体基板(1)の他方の主面(1b)側に形成されたＮ＋型半導体領域(12)と、Ｎ−型半導体領域(11)内で半導体基板(1)の一方の主面(1a)側に形成されたＰ＋型半導体領域(13)とを備え、Ｐ＋型半導体領域(13)とＮ−型半導体領域(11)及びＮ＋型半導体領域(12)とによりＰＮ接合を形成するダイオード装置(20)を例示する。半導体基板(1)の一方の主面(1a)には、Ｐ＋型半導体領域(13)に隣接して形成された開口部(2a)を有する絶縁膜(2)が形成され、金属膜からなる上部電極（エミッタ電極）(3)が絶縁膜(2)の一部と、絶縁膜(2)の開口部(2a)を通じてＰ＋型半導体領域(13)とに固着される。また、半導体基板(1)の他方の主面(1b)には、Ｎ＋型半導体領域(12)に隣接して下部電極（コレクタ電極）(6)が固着される。この種の半導体装置では、例えば、図示しないダイナミトロン加速装置を使用し、図７に示すように、半導体基板(1)に２.０MeV程度の加速電圧で加速された電子線(25)を照射して、半導体基板(1)の厚み方向全体にわたり適宜に結晶欠陥を形成することができる。
【０００５】
上述のように、半導体基板(1)の厚み方向全体にわたり結晶欠陥を形成すると、キャリアのライフタイムを短縮して半導体装置のスイッチング特性を向上させることができるが、半導体基板の内部抵抗が増大して、半導体装置(20)の動作抵抗（オン抵抗）が大きくなる問題が生じる。よって、近年では、結晶欠陥を半導体基板(1)の厚み方向全体に形成せずに、厚み方向の特定領域に形成する試みがある。半導体基板(1)の厚み方向に局所的に結晶欠陥を形成すれば、動作抵抗が比較的低く且つスイッチング特性が向上した優れた電気的特性を有する半導体装置を形成することができる。
【０００６】
半導体基板の厚み方向の特定領域に結晶欠陥を有する半導体装置の製法は、例えば、下記特許文献１に開示される。特許文献１によれば、半導体基板の主面に３０μmの厚さを有するアルミニウム及び５０μmの厚さを有するステンレスから成る金属マスクを配置し、２０.０MeVの加速電圧で加速された軽イオン線を金属マスクを介して半導体基板に照射して、半導体基板の厚み方向の特定領域に結晶欠陥を形成することができる。
【０００７】
【特許文献１】特開平４−２１４６７４号公報
【発明の開示】
【発明が解決しようとする課題】
【０００８】
しかしながら、特許文献１の半導体装置の製法では、電子線を照射する場合には、質量の軽い電子が金属マスクを容易に通過するため、半導体基板の厚み方向の特定領域に結晶欠陥を形成できなかった。また、他の放射線を使用する場合であっても、形成する結晶欠陥の深さを制御するためには、金属マスクの厚みを制御しなければならず、実用的ではなかった。
そこで、本発明は、半導体基板の厚み方向の所望の特定領域に結晶欠陥を容易に且つ再現性よく形成することができる半導体装置の製法を提供することを目的とする。
【課題を解決するための手段】
【０００９】
本発明による半導体装置の製法は、半導体基板(1)に酸素イオン(24)を照射して、半導体基板(1)の所定の深さ領域(15)に前記半導体基板(1)の他の深さ領域(16,17)より酸素濃度の高い酸素富裕層(4)を形成する過程と、半導体基板(1)に放射線(25)を照射して、半導体基板(1)の結晶格子間に原子空孔を形成し、これにより、結晶格子間に導入される酸素と放射線(25)により形成される原子空孔とが結合して、キャリア捕獲領域として機能する再結合領域(5)を形成する複合欠陥を酸素富裕層(4)に形成する過程と、再結合領域(5)を形成した半導体基板(1)を温度２００℃〜４００℃で加熱する過程とを含む。酸素富裕層(4)を形成した後に、半導体基板(1)に放射線を照射して、半導体基板(1)の結晶格子間に原子空孔を形成すると、酸素と原子空孔とが結合して成る複合欠陥により酸素富裕層(4)に再結合領域(5)が形成される。再結合領域(5)は、半導体基板(1)の所定の深さ領域(15)でキャリアのライフタイムを制御するキャリア捕獲領域となる。このため、動作抵抗が比較的低く且つスイッチング特性に優れた半導体装置を得ることができる。半導体基板(1)の所望且つ所定の深さ領域(15)に酸素富裕層(4)を形成することにより、半導体基板(1)内に形成する再結合領域(5)の深さ及び厚みを制御することができる。また、再結合領域(5)を形成した半導体基板(1)に加熱処理を施して、半導体基板(1)の所定の深さの領域(15)に形成された結晶欠陥を安定化させると共に、半導体基板(1)の他の深さ領域(16,17)に形成された結晶欠陥又は格子欠陥を除去し又は減少することができる。２００℃未満の温度により加熱すると、他の深さ領域(16,17)に形成された結晶欠陥を良好に除去できない。また、４００℃を超える温度により加熱すると、再結合領域(5)を形成する複合欠陥も減少するため、好ましくない。
本発明により製造される半導体装置は、少なくとも１つのＰＮ接合が形成された半導体基板(1)を備え、半導体基板(1)は、半導体基板(1)の所定の深さ領域(15)に原子空孔と酸素とが結合して成る複合欠陥により形成される再結合領域(5)を有する。原子空孔と酸素とが結合して成る複合欠陥によって形成される再結合領域(5)により、半導体基板(1)のキャリアのライフタイムを制御することができる。
【発明の効果】
【００１０】
本発明によれば、半導体基板の厚み方向の特定領域に再結合領域を良好に形成して、動作抵抗が低く且つスイッチング特性が向上した優れた電気的特性を有する半導体装置を提供することができる。
【発明を実施するための最良の形態】
【００１１】
以下、本発明による半導体装置の製法をダイオード装置及びその製法に適用した実施の形態を図１〜図５について説明する。また、本実施の形態では、電子線を照射して半導体装置のキャリアのライフタイムを制御する。但し、これらの図面では、図６及び図７に示す箇所と実質的に同一の部分には同一の符号を付し、その説明を省略する。
【００１２】
図１に示す本実施の形態のダイオード装置(10)を形成する際に、単結晶のシリコンウエハにより形成された図２に示す半導体基板(1)を用意する。半導体基板(1)は、Ｎ−型半導体領域(11)、Ｎ＋型半導体領域(12)及びＰ＋型半導体領域(13)を有する。便宜上、図示する半導体基板(1)は、単一のＰ＋型半導体領域(13)を有する単一の半導体チップを示すが、実際の半導体基板(1)は、半導体基板(1)のＸ軸方向とＹ軸方向とに前記半導体チップを繰り返し形成した構造を有する。本実施の形態では、周知の半導体基板の製法と共に、多数の半導体チップを整列させた半導体基板の図を省略する。
【００１３】
次に、図３に示すように、半導体基板(1)の一方の主面(1a)の全面から半導体基板(1)の所定の深さ領域(15)に酸素を導入する。即ち、酸素は、半導体基板(1)の厚み方向の全体にわたり導入されず、半導体基板(1)の一方の主面(1a)から所定の深さの領域(15)に局所的に導入される。本工程により、半導体基板(1)の所定の深さ領域(15)に半導体基板(1)の他の深さ領域(16,17)より酸素濃度の高い酸素富裕層(4)が形成される。本実施の形態では、所定の深さ領域(15)に含まれない半導体基板(1)の一方の主面(1a)に隣接する領域を一方の他の深さ領域(16)とし、他方の主面(1b)に隣接する領域を他方の他の深さ領域(17)とする。Ｐ＋型半導体領域(13)は、半導体基板(1)の一方の他の深さ領域(16)に形成される。
【００１４】
例えば、図示しない周知のサイクロトロン加速装置により、半導体基板(1)に酸素イオン(24)を照射して、半導体基板(1)の所定の深さ領域(15)に格子間酸素原子又は分子を導入することができる。サイクロトロン加速装置又はバンデグラフ加速装置により酸素イオン(24)を１.０MeV〜５０.０MeV程度の加速電圧で注入すれば、半導体基板(1)の一方の主面(1a)から１５μm〜２０μm程度の深さ領域(15)に他の深さ領域(16,17)に比較して酸素濃度が高い酸素富裕層(4)を５μm程度の厚さで形成することができる。半導体基板(1)は、基板の強度を高める等の理由により、シリコンインゴット又はウエハの製造時に、シリコン中に酸素原子又は分子を含ませることがある。よって、所定の深さの領域(15)に形成される酸素富裕層(4)は、他の深さ領域(16,17)と比較して１.２倍以上、望ましくは２.０倍以上の酸素濃度を有する。例えば、他の深さ領域(16,17)の酸素濃度が１.０×１０15atoms/cm3程度であれば、酸素富裕層(4)の酸素濃度は、１.２×１０15atoms/cm3以上、望ましくは２.０×１０15atoms/cm3以上とする。酸素富裕層(4)の酸素濃度が他の深さ領域(16,17)と比較して１.２倍未満であると、次工程で半導体基板(1)に電子線(25)を照射しても、キャリア捕獲領域として良好に機能する複合欠陥を酸素富裕層(4)のみに局所的に形成できない。本実施の形態では、半導体基板(1)の一方の主面(1a)から約１３μmの深さにＰ＋型半導体領域(13)を形成したので、Ｐ＋型半導体領域(13)とＮ−型半導体領域(11)との界面に形成されたＰＮ接合よりも若干深い位置に酸素富裕層(4)を形成することができる。
【００１５】
続いて、図４に示すように、半導体基板(1)に電子線(25)を照射して、図５に示すように、酸素富裕層(4)に再結合領域(5)を形成する。電子線(25)は、半導体基板(1)の一方の主面(1a)の全面に照射され、半導体基板(1)の結晶格子間に原子空孔を形成する。電子線(25)は、従来と同様に、半導体基板(1)の厚み方向の全体に導入されるが、酸素富裕層(4)では、シリコンの結晶格子間に導入された酸素と電子線(25)によりシリコンに形成された原子空孔とが結合して、複合欠陥が形成される。複合欠陥は、キャリア捕獲領域として良好に機能し、酸素富裕層(4)に再結合領域(5)を形成することができる。前記のように、半導体基板(1)の厚み方向の全体に電子線(25)が導入されるため、酸素富裕層(4)以外の他の深さ領域(16,17)にも電子線(25)による原子空孔が形成される。しかしながら、他の深さ領域(16,17)の酸素密度は、酸素富裕層(4)と比較して低いため、他の深さ領域(16,17)に形成された原子空孔は、酸素と殆ど結合せず、キャリア捕獲領域として良好に機能する複合欠陥とはならない。
【００１６】
例えば、図示しない周知のダイナミトロン加速装置により、半導体基板(1)に電子線(25)を照射して、半導体基板(1)の酸素富裕層(4)に複合欠陥を形成することができる。ダイナミトロン加速装置により電子線(25)を０.５MeV〜５.０MeV程度の加速電圧で注入すれば、半導体基板(1)の厚さ方向の全体に電子線(25)が照射され、半導体基板(1)の酸素富裕層(4)の酸素原子又は分子と電子線(25)の照射により形成された原子空孔とを結合して、酸素富裕層(4)にキャリア捕獲領域として良好に機能する複合欠陥を形成することができる。本実施の形態では、電子線(25)の照射密度を従来の半導体装置(20)の製法の１／２〜１／４程度にしているため、半導体基板(1)の他の深さ領域(16,17)には、従来の半導体装置(20)と比較して僅かな原子空孔しか形成されない。よって、半導体基板(1)の他の深さ領域(16,17)は、再結合領域(5)として殆ど機能しない。この結果、この方法により、半導体基板(1)の一方の主面(1a)から１５μm〜２０μm程度の深さ領域(15)に他の深さ領域(16,17)と比較して再結合中心密度の高い再結合領域(5)を形成することができる。半導体基板(1)の所望の深さ領域(15)に所定の厚さで酸素富裕層(4)を比較的容易に形成できるため、電子線(25)を使用して、半導体基板(1)の所望の深さ領域(15)に所定の厚さで再結合領域(5)を形成できる。
【００１７】
次に、再結合領域(5)を形成した半導体基板(1)にアニール（加熱）処理を施して、半導体基板(1)の所定の深さの領域(15)に形成された結晶欠陥を安定化させる。また、このアニール処理によって、半導体基板(1)の他の深さ領域(16,17)に形成された結晶欠陥又は格子欠陥を除去又は減少することができる。アニール処理は、例えば、２００℃〜４００℃、好ましくは、３００℃で１時間の加熱工程とする。２００℃未満の温度により加熱すると、他の深さ領域(16,17)に形成された結晶欠陥を良好に除去できない。また、４００℃を超える温度により加熱すると、再結合領域(5)を形成する複合欠陥も減少するため、好ましくない。
【００１８】
最後に、半導体基板(1)の一方の主面(1a)に絶縁膜(2)及び上部電極(3)を形成すると共に、半導体基板(1)の他方の主面(1b)に下部電極(6)を形成して、図１に示すダイオード装置（ファーストリカバリダイオード）(10)を完成する。例えば、絶縁膜(2)は、シリコン酸化膜（SiO2）により形成される。また、上部電極(3)は、アルミニウムを蒸着して形成され、下部電極(6)は、アルミニウム、チタン及びニッケルの積層電極を固着して形成される。
【００１９】
上記半導体装置の製法によれば、半導体基板(1)の所望且つ所定の深さ領域(15)に酸素富裕層(4)を形成して、半導体基板(1)内で再結合領域(5)を形成する深さ及び厚みを制御することができる。この結果、動作抵抗が比較的低く且つスイッチング特性に優れた半導体装置(10)を容易に製造することができる。上記製法により形成されたダイオード装置(10)は、半導体基板(1)の所定の深さ領域(15)に原子空孔と酸素とが結合して成る複合欠陥により形成される再結合領域(5)を備える。複合欠陥は、原子空孔又は格子間原子等の単純な孤立欠陥に比べて、キャリア捕獲領域として良好に機能する。
【００２０】
本発明は、前記実施の形態に限定されず、更に種々の変更が可能である。ＩＧＢＴ又はサイリスタ等の他の半導体装置の製法に本発明を適用してもよい。また、電子線(25)による半導体装置(10)のライフタイム制御に限定されず、シリコン中に原子空孔を形成する他の放射線によるライフタイム制御に本発明を適用してもよい。半導体装置の製造工程の順序を適宜に変更してもよい。本実施の形態では、半導体基板(1)に再結合領域(5)を形成した後に、半導体基板(1)に絶縁膜(2)、上部電極(3)及び下部電極(6)を形成した。しかしながら、半導体基板(1)に絶縁膜(2)、上部電極(3)及び下部電極(6)の何れか又は全てを形成した後に、半導体基板(1)に酸素富裕層(4)又は再結合領域(5)を形成してもよい。また、酸素富裕層(4)を半導体基板(1)の平面方向の全体に形成したが、例えば、Ｐ＋型半導体領域(13)の下側等の半導体基板(1)の平面方向の一部にのみに酸素を導入して、酸素富裕層(4)及び再結合領域(5)を形成してもよい。
【００２１】
本実施の形態に示す半導体装置の製法は、単なる例示に過ぎず、特許請求の範囲に明記しない限り、本発明は、酸素濃度、酸素及び放射線の照射速度、アニール処理温度及び時間、半導体基板(1)及び各深さ領域(15,16,17)の寸法等の各種設定値並びに酸素又は放射線を放出する各装置の種類により限定されない。
【産業上の利用可能性】
【００２２】
本発明は、ダイオード、ＩＧＢＴ等のトランジスタ、サイリスタ又はＩＣ等の半導体装置の製法に良好に適用することができる。
【図面の簡単な説明】
【００２３】
【図１】本発明による半導体装置の製法の実施の形態を示す断面図
【図２】図１の半導体基板の断面図
【図３】酸素イオンを照射した図２の断面図
【図４】電子線を照射した図３の断面図
【図５】再結合領域が形成された図４の断面図
【図６】従来の半導体装置を示す断面図
【図７】電子線を照射した図６の断面図
【符号の説明】
【００２４】
(1)・・半導体基板、  (4)・・酸素富裕層、  (5)・・再結合領域、  (15)・・所定の深さ領域、  (16,17)・・他の深さ領域、  (24)・・酸素イオン、  (25)・・電子線（放射線）、
【図１】
0005124964.tif 000002
【図２】
0005124964.tif 000003
【図３】
0005124964.tif 000004
【図４】
0005124964.tif 000005
【図５】
0005124964.tif 000006
【図６】
0005124964.tif 000007
【図７】
0005124964.tif 000008